(57)【要約】【課題】表示する文字の視認性が高く、触覚による境界部の検出が容易な入力インタフェース用ボタン、及びこれを用いた入力インタフェース及び携帯端末を提供する。【解決手段】少なくとも一つの他のボタンと隣接してベースシートに固着される携帯端末の入力インタフェース用ボタンであって、少なくとも他のボタンと隣接する周縁の一つには、キートップ部１２よりも低い薄肉部１３が形成されており、ベースシート１１との固着面又はベースシート１１に印刷された文字を、キートップ部１２及び薄肉部１３を透過させて表示する。【選択図】図２
2010086850.tif 000002
【特許請求の範囲】
【請求項１】
少なくとも一つの他のボタンと隣接してベースシートに固着される携帯端末の入力インタフェース用ボタンであって、
少なくとも前記他のボタンと隣接する周縁の一つには、キートップ部よりも低い薄肉部が形成されており、
前記ベースシートとの固着面又は前記ベースシートに印刷された文字を前記キートップ部及び前記薄肉部を透過させて表示することを特徴とする入力インタフェース用ボタン。
【請求項２】
前記薄肉部から前記キートップ部が立ち上がる角度が略直角であることを特徴とする請求項１記載の入力インタフェース用ボタン。
【請求項３】
前記キートップ部を囲むように前記薄肉部が形成されたことを特徴とする請求項１又は２記載の入力インタフェース用ボタン。
【請求項４】
請求項１から３のいずれか１項記載の入力インタフェース用ボタンを備えた入力インタフェース。
【請求項５】
請求項１又は２記載の入力インタフェース用ボタンを備えた入力インタフェースであって、
各々の入力インタフェース用ボタンには、入力インタフェース用ボタン同士が隣接する箇所において、一方の入力インタフェース用ボタンにのみ前記薄肉部が存在するように前記薄肉部が形成されていることを特徴とする入力インタフェース。
【請求項６】
前記携帯端末の入力インタフェース用ボタンがマトリックス状に縦横に整列して配列されたことを特徴とする請求項４又は５記載の携帯端末の入力インタフェース。
【請求項７】
請求項４から６のいずれか１項記載の携帯端末の入力インタフェースを備えた携帯端末。
【発明の詳細な説明】
【技術分野】
【０００１】
本発明は、携帯端末に適用される入力ボタンに関し、特に、個々のボタンの占める面積を確保しつつ、隣接するボタン同士の境界を認識しやすくしたボタン構造に関する。
【背景技術】
【０００２】
携帯電話機やＰＤＡ、電子辞書、電卓、ノート型コンピュータ、電化製品のリモコンなどの携帯端末は、一般に複数のボタンからなる操作部を備えている。
【０００３】
図８、図９に示すようにボタン間隔が広い構造の場合、ボタンとボタンとの間に桟となる部分が存在するため、隣接するボタンとの境界を指先で（換言すると触覚で）認識しやすい。しかし、端末の大きさに制約がある携帯端末では、操作部を設置できる面積が限られるため、ボタン間隔を広くするとボタン一個当たりの面積を小さくしなければならない。個々のボタンが小さくなると、ボタンに表示できる文字も小さくなるため、操作性が低くなるだけでなく、ボタンに表示された文字の視認性も低下してしまう。
【０００４】
一方、図１０、図１１に示すようにボタン間隔を狭くすると、個々のボタンの面積を大きく取れるため、ボタンに表示する文字も大きくでき、視認性が向上する。しかし、ボタン同士の間に桟が存在しないために、隣接するボタンとの境界が触覚では認識しにくくなってしまう。
【０００５】
電子機器に用いられるボタンの構造に関連する発明として、特許文献１に開示される「キートップ及びその製造方法」がある。
特許文献１に開示される発明は、キートップの外周部をなす外側キートップ片と中央部をなす内側キートップ片とを別々に形成し、それらを組み合わせた上で固着させることにより、キートップの表面に組み合わせデザイン面を形成するものである。
【特許文献１】特開２００７−１７９９５２号公報
【発明の開示】
【発明が解決しようとする課題】
【０００６】
特許文献１に開示される発明は、キートップの周縁部で外側キートップ片と内側キートップ片とを重ね合わせて固着しているため、十分な強度で固着できるようにすると厚さ寸法が増大してしまう。よって、端末の薄型化という市場のニーズに応えることが困難である。
【０００７】
また、キートップの周縁に固着用の領域が必要となるため、キートップ面積を確保する妨げとなる。
【０００８】
さらに、特許文献１に開示される発明は、キートップの表面に組み合わせデザイン面を形成するため、外側キートップ片と内側キートップ片とに異なる装飾を施す必要がある。
このような構成においてキートップの表面全体に文字を表示しようとすると、図１２（ａ）に示すように、外側キートップ片及び内側キートップ片にまたがるように文字を表示することとなる。しかし、外側キートップ片と内側キートップ片とは装飾が異なるため、外側キートップ片及び内側キートップ片にまたがるように文字を表示すると、文字の視認性が低くなってしまう。その一方で、図１２（ｂ）に示すように内側キートップ片の領域に収まるように文字を表示すると、文字のサイズが小さくなってしまい、やはり文字の視認性が低くなってしまう。
【０００９】
本発明は係る問題に鑑みてなされたものであり、表示する文字の視認性が高く、触覚による境界部の検出が容易な入力インタフェース用ボタン、及びこれを用いた入力インタフェース及び携帯端末を提供することを目的とする。
【課題を解決するための手段】
【００１０】
上記目的を達成するため、本発明は、第１の態様として、少なくとも一つの他のボタンと隣接してベースシートに固着される携帯端末の入力インタフェース用ボタンであって、
少なくとも他のボタンと隣接する周縁の一つには、キートップ部よりも低い薄肉部が形成されており、ベースシートとの固着面又はベースシートに印刷された文字をキートップ部及び薄肉部を透過させて表示することを特徴とする入力インタフェース用ボタンを提供するものである。
【００１１】
また、上記目的を達成するため、本発明は、第２の態様として、上記本発明の第１の態様に係る入力インタフェース用ボタンを備えた入力インタフェースを提供するものである。
【００１２】
また、上記目的を達成するため、本発明は、第３の態様として、上記本発明の第２の態様に係る入力インタフェースを備えた携帯端末を提供するものである。
【発明の効果】
【００１３】
本発明によれば、表示する文字の視認性が高く、触覚による境界部の検出が容易な入力インタフェース用ボタン、及びこれを用いた入力インタフェース及び携帯端末を提供できる。
【発明を実施するための最良の形態】
【００１４】
〔第１の実施形態〕
本発明を好適に実施した第１の実施形態について説明する。図１に、本実施形態に係るボタン構造を示す。
ベースシート１１には、複数のボタンからなる操作部１０が設けられている。図２（ａ）に示すように、本実施形態に係るボタン構造では、ボタンとボタンとの間は図９に示した構成と同様に狭くなっている。ボタンの外周には薄肉部１３が設けられており、中央のキートップ部１２と比べて一段低くなっている。各々のボタンは透明な樹脂で形成されているとともに、割り当てられた機能等を示す文字は、裏面側から印刷されており、ボタンを透過して視認可能となっている。
【００１５】
薄肉部１３の幅やキートップ部１２との高低差は、薄肉部１３の存在を触覚的に認識可能な寸法であれば良く、特定の数値に限定されることはない。また、薄肉部１３からキートップ部１２が立ち上がる角度（図２（ｂ）における角Ａ）は任意ではあるが、直角に近い角度であることが好ましい。
【００１６】
図２（ａ）に示すように、ボタン同士の境界部分では、薄肉部１３同士が隣接するため、桟と同様の役割が果たされて境界が触覚的に認識されやすくなる。すなわち、薄肉部１３が存在することによって立体的な段差が形成されているため、ボタン同士の境界は指先などでも認識可能である。
【００１７】
また、ボタンの表側に文字を印刷する場合にはキートップ部１２が占める領域内に文字を印刷しなければならないが、本実施形態ではボタンの裏側に印刷を施すため、キートップ部１２のみならず薄肉部１３が占める領域にも文字を印刷できる。よって、文字の大きさが同じであればボタンにより多くの文字を表示することが可能であり、同じ文字数であればより大きい文字で表示することが可能である。
【００１８】
このように、本実施形態に係るボタン構造では、薄肉部によって段差が形成されているため、指先の感覚でのボタンの境界の認識性を高めることができる。
また、ボタン内に表示する文字の視認性を低下させることがない。
【００１９】
さらに、本実施形態では全てのボタンが同じ形状であるので、部品の共通化によって製造コストを低減できる。
【００２０】
〔第２の実施形態〕
本発明を好適に実施した第２の実施形態について説明する。図３、図４に本実施形態に係るボタン構造を示す。第１の実施形態と同様に、ベースシート１１には、複数のボタンからなる操作部１０が設けられている。
【００２１】
本実施形態においては、他のボタンと隣接する側にのみ薄肉部１３が形成されている。従って、他のボタンに四方を囲まれていないボタンに関しては、キートップ部１２の面積を第１の実施形態よりも広く確保できる。このため、操作部１０の操作性を高めることができる。
【００２２】
また、第１の実施形態と同様に、薄肉部１３が存在することによって段差が形成されているため、指先の感覚でのボタンの境界の認識性を高めることができ、かつボタンに表示する文字の視認性を低下させることがない。
【００２３】
〔第３の実施形態〕
本発明を好適に実施した第３の実施形態について説明する。図５、図６に本実施形態に係るボタン構造を示す。第１の実施形態と同様に、ベースシート１１には、複数のボタンからなる操作部１０が設けられている。
【００２４】
本実施形態においては、他のボタンと隣接するボタンの一方のみに薄肉部１３が形成されており、他方には薄肉部１３が形成されていない。従って、薄肉部１３が形成されていないボタンに関しては、キートップ部１２の面積を第１の実施形態よりも広く確保できる。このため、操作部１０の操作性を高めることができる。
【００２５】
また、第１の実施形態と同様に、薄肉部１３が存在することによって段差が形成されているため、指先の感覚でのボタンの境界の認識性を高めることができ、かつボタンに表示する文字の視認性を低下させることがない。
【００２６】
ここでは薄肉部１３を備えたボタンと備えないボタンとの２種類を用いる構成を例としたが、図７に示すように各ボタンの必要な部分のみに薄肉部１３を形成するようにしても良い。
【００２７】
なお、上記実施形態は本発明の好適な実施の一例であり、本発明はこれに限定されることはない。
例えば、上記各実施形態においては、ボタンが縦横に直角に整列した構成を例に説明したが、コンピュータ端末のキーボードのようにボタンが縦方向に関して斜めに整列するように配置されている場合でも適用可能である。
また、ボタンに表示刷る文字は、ボタンの裏側ではなくベースシートに印刷されていても良いことは言うまでもない。
このように、本発明は様々な変形が可能である。
【図面の簡単な説明】
【００２８】
【図１】本発明を好適に実施した第１の実施形態に係るボタン構造を示す図である。
【図２】第１の実施形態に係るボタン構造のＡ−Ａ断面を示す図である。
【図３】本発明を好適に実施した第２の実施形態に係るボタン構造を示す図である。
【図４】第２の実施形態に係るボタン構造のＢ−Ｂ断面を示す図である。
【図５】本発明を好適に実施した第３の実施形態に係るボタン構造を示す図である。
【図６】第３の実施形態に係るボタン構造のＣ−Ｃ断面を示す図である。
【図７】第３の実施形態に係るボタン構造を示す図である。
【図８】本発明に関連するボタン構造を示す図である。
【図９】本発明に関連するボタン構造のＤ−Ｄ断面を示す図である。
【図１０】本発明に関連するボタン構造を示す図である。
【図１１】本発明に関連するボタン構造のＥ−Ｅ断面を示す図である。
【図１２】特許文献１に開示される発明において、キートップに文字を表示した状態を示す図である。
【符号の説明】
【００２９】
１０    操作部
１１    ベースシート
１２    キートップ部
１３    薄肉部
【図１】
2010086850.tif 000003
【図２】
2010086850.tif 000004
【図３】
2010086850.tif 000005
【図４】
2010086850.tif 000006
【図５】
2010086850.tif 000007
【図６】
2010086850.tif 000008
【図７】
2010086850.tif 000009
【図８】
2010086850.tif 000010
【図９】
2010086850.tif 000011
【図１０】
2010086850.tif 000012
【図１１】
2010086850.tif 000013
【図１２】
2010086850.tif 000014